(57)【要約】【課題】  利用者にとって広告効果が高い広告情報リンク管理システム及びその方法を提供する。【解決手段】  広告情報が出力される利用者端末３０と、利用者端末３０に出力されるウェブサイトを提供するリンク提供サーバ６０と、リンク提供サーバ６０からリンク誘導情報が入力される管理サーバ２０と、利用者端末６０に出力される広告情報を管理サーバ２０に入力する広告配信者端末１０とが通信ネットワーク５０を介して接続された広告情報リンク管理システムであって、管理サーバ２０は、広告情報をリンク誘導情報に割り当てるリンク設定管理処理手段Ｍ１３と、リンク設定と同時またはリンク設定後、利用者端末１０からのリンク誘導手段の選択に基づき、利用者端末１０に広告情報を配信し、配信終了と同時または配信後、リンク誘導情報を利用者端末３０に送信するリンク管理処理手段Ｍ１４と、を備える。【選択図】        図１
2006330984.tif 000002
【特許請求の範囲】
【請求項１】
広告情報が出力される利用者端末と、前記利用者端末に出力されるウェブサイトを提供するリンク提供サーバと、前記リンク提供サーバからリンク誘導情報が入力される管理サーバと、前記利用者端末に出力される広告情報を前記管理サーバに入力する広告配信者端末とが通信ネットワークを介して接続された広告情報リンク管理システムであって、
前記管理サーバは、
予め設定された第１の条件に基づき前記広告情報を前記リンク誘導情報に割り当てるリンク設定管理処理手段と、
リンク設定と同時またはリンク設定後、前記利用者端末からのリンク誘導手段の選択に基づき、前記利用者端末に前記広告情報を配信し、配信終了と同時または配信後、前記リンク誘導情報を前記利用者端末に送信するリンク管理処理手段と、
を備えることを特徴とする、広告情報リンク管理システム。
【請求項２】
広告情報が出力される利用者端末と、前記利用者端末に出力されるウェブサイトを提供するリンク提供サーバと、前記リンク提供サーバからリンク誘導情報が入力される管理サーバと、前記利用者端末に出力される広告情報を前記管理サーバに入力する広告配信者端末とが通信ネットワークを介して接続された広告情報リンク管理システムであって、
前記管理サーバは、
予め設定された第１の条件に基づき前記広告情報を前記リンク誘導情報に割り当てるリンク設定管理処理手段と、
リンク設定と同時またはリンク設定後、前記利用者端末からのリンク誘導手段の選択に基づき、前記利用者端末に前記広告情報を配信し、配信終了と同時または配信後、前記リンク誘導情報を前記利用者端末に送信し、リンク終了後、予め設定された第２の条件に基づきリンク設定解除を予告した後、リンク設定解除を通知し、リンクを終了する、又は、リンク再更新設定を行うリンク管理処理手段と、
を備えることを特徴とする、広告情報リンク管理システム。
【請求項３】
前記管理サーバは、
前記リンク提供サーバから前記管理サーバに入力された１又は複数の前記リンク誘導情報を予め設定された第３の条件に基づき前記管理サーバに割り当て、登録を開始し、及び／又は、登録更新処理を行うリンク誘導情報登録処理手段
をさらに含むことを特徴とする、請求項１または２に記載の広告情報リンク管理システム。
【請求項４】
前記管理サーバは、
前記広告配信者端末から前記管理サーバに入力された１又は複数の前記広告情報およびリンク誘導情報を予め設定された第４の条件に基づき前記管理サーバに割り当て、登録を開始し、及び／又は、登録更新処理を行う広告情報登録処理手段
をさらに含むことを特徴とする、請求項１から３のいずれか１項に記載の広告情報リンク管理システム。
【請求項５】
前記管理サーバは、
前記広告配信者端末に対して、リンク設定料の支払請求と、及び／又は、管理料の支払請求を出力する広告主向料金管理処理手段
をさらに含むことを特徴とする、請求項１から４のいずれか１項に記載の広告情報リンク管理システム。
【請求項６】
前記管理サーバは、
前記リンク提供サーバに対して、利用料の支払請求と、及び／又は、管理料の支払請求を出力し、
前記利用者端末に対して、支払われる利用料の通知を出力するリンク提供者向料金管理処理手段
をさらに含むことを特徴とする、請求項１から５のいずれか１項に記載の広告情報リンク管理システム。
【請求項７】
前記リンク提供者向料金管理処理手段は、
前記広告配信者端末及び／又は前記利用者端末から前記利用料の利用種別が入力されることを特徴とする、請求項６に記載の広告情報リンク管理システム。
【請求項８】
前記利用種別は、金銭・サービス・権利のいずれか１つまたは複数の組み合わせからなることを特徴とする、請求項７に記載の広告情報管理システム。
【請求項９】
前記リンク設定管理処理手段は、
前記リンク誘導情報を含む前記広告情報に符号を割り当て、予め設定された第５の条件に基づき符号別に積算を開始し、ランキング処理を行う手段
を含むことを特徴とする、請求項１から８のいずれか１項に記載の広告情報リンク管理システム。
【請求項１０】
前記リンク設定管理処理手段は、
前記利用者端末からのリンク誘導手段選択数に応じて、又は、前記リンク提供サイト情報のランキング処理を行う手段
を含むことを特徴する、請求項１から９のいずれか１項に記載の広告情報リンク管理システム。
【請求項１１】
前記リンク設定管理処理手段は、
ランキング処理をした結果を、前記リンク誘導情報を含む前記広告情報、及び／又は、前記リンク提供情報を予め設定された第６の条件に基づきグループ化する手段
を含むことを特徴とする、請求項１から１０のいずれか１項に記載の広告情報リンク管理システム。
【請求項１２】
前記リンク管理処理手段は、
リンク提供サイト上にリンク誘導手段を出力する、又は、広告情報にリンク誘導手段を出力する手段
を含むことを特徴とする、請求項１から１１のいずれか１項に記載の広告情報リンク管理システム。
【請求項１３】
前記利用者端末は、
前記管理サーバまたは前記リンク提供サーバに接続されることを特徴とする、請求項１から１２のいずれか１項に記載の広告情報リンク管理システム。
【請求項１４】
前記リンク管理処理手段は、
予め設定された第７の条件に基づき、前記広告情報を前記利用者端末ごとに選択して配信する手段
を含むことを特徴とする、請求項１から１３のいずれか１項に記載の広告情報リンク管理システム。
【請求項１５】
前記管理サーバは、
リンク提供サイトに表示されたリンク誘導手段の選定に基づき、リンク誘導情報を含む広告情報を前記リンク誘導手段にリンク設定し、選定されたリンク誘導手段にリンクされていたウェブサイトを出力するまでの間に前記広告情報を配信する手段
を含むことを特徴とする、請求項１から１４のいずれか１項に記載の広告情報リンク管理システム。
【請求項１６】
前記リンク管理処理手段は、
前記広告配信者端末から入力された１または複数の前記広告情報および前記リンク誘導情報を、前記利用者端末から入力されたリンク誘導手段選定ごとに、予め設定された第８の条件に基づき複数の前記利用者端末へ配信する手段
を含むことを特徴とする、請求項１から１５のいずれか１項に記載の広告情報リンク管理システム。
【請求項１７】
前記管理サーバは、
リンク誘導手段の予め設定された第９の条件に基づき、前記広告情報及び前記リンク誘導情報を割り当てる手段
を含むことを特徴とする、請求項１から１６のいずれか１項に記載の広告情報リンク管理システム。
【請求項１８】
広告情報が出力される利用者端末と、前記利用者端末に出力されるウェブサイトを提供するリンク提供サーバと、前記リンク提供サーバからリンク誘導情報が入力される管理サーバと、前記利用者端末に出力される広告情報を前記管理サーバに入力する広告配信者端末とが通信ネットワークを介して接続された広告情報リンク管理方法であって、
前記管理サーバは、
予め設定された第１の条件に基づき前記広告情報を前記リンク誘導情報に割り当て、リンクを設定するステップと、
リンク設定と同時またはリンク設定後、前記利用者端末からのリンク誘導手段の選択に基づき、前記利用者端末に前記広告情報を配信し、配信終了と同時または配信後、前記リンク誘導情報を前記利用者端末に送信するステップと、
を備えることを特徴とする、広告情報リンク管理方法。
【請求項１９】
広告情報が出力される利用者端末と、前記利用者端末に出力されるウェブサイトを提供するリンク提供サーバと、前記リンク提供サーバからリンク誘導情報が入力される管理サーバと、前記利用者端末に出力される広告情報を前記管理サーバに入力する広告配信者端末とが通信ネットワークを介して接続された広告情報リンク管理方法であって、
前記管理サーバは、
予め設定された第１の条件に基づき前記広告情報を前記リンク誘導情報に割り当て、リンクを設定するステップと、
リンク設定と同時またはリンク設定後、前記利用者端末からのリンク誘導手段の選択に基づき、前記利用者端末に前記広告情報を配信し、配信終了と同時または配信後、前記リンク誘導情報を前記利用者端末に送信し、リンク終了後、予め設定された第２の条件に基づきリンク設定解除を予告した後、リンク設定解除を通知し、リンクを終了する、又は、リンク再更新設定を行うステップと、
を備えることを特徴とする、広告情報リンク管理方法。
【請求項２０】
前記管理サーバは、
前記リンク提供サーバから前記管理サーバに入力された１又は複数の前記リンク誘導情報を予め設定された第３の条件に基づき前記管理サーバに割り当て、登録を開始し、及び／又は、登録更新処理を行うステップ
をさらに含むことを特徴とする、請求項１６または１９に記載の広告情報リンク管理方法。
【請求項２１】
前記管理サーバは、
前記広告配信者端末から前記管理サーバに入力された１又は複数の前記広告情報およびリンク誘導情報を予め設定された第４の条件に基づき前記管理サーバに割り当て、登録を開始し、及び／又は、登録更新処理を行うステップ
をさらに含むことを特徴とする、請求項１８から２０のいずれか１項に記載の広告情報リンク管理方法。
【請求項２２】
前記管理サーバは、
前記広告配信者端末に対して、リンク設定料の支払請求と、及び／又は、管理料の支払請求を出力するステップ
をさらに含むことを特徴とする、請求項１８から２１のいずれか１項に記載の広告情報リンク管理方法。
【請求項２３】
前記管理サーバは、
前記リンク提供サーバに対して、利用料の支払請求と、及び／又は、管理料の支払請求を出力し、
前記利用者端末に対して、支払われる利用料の通知を出力するステップ
をさらに含むことを特徴とする、請求項１８から２２のいずれか１項に記載の広告情報リンク管理方法。
【請求項２４】
前記リンク提供者向料金管理処理手段は、
前記広告配信者端末及び／又は前記利用者端末から前記利用料の利用種別が入力されるステップを含むことを特徴とする、請求項２３に記載の広告情報リンク管理方法。
【請求項２５】
前記利用料は、金銭・サービス・権利のいずれか１つまたは複数の組み合わせからなることを特徴とする、請求項２４に記載の広告情報管理システム。
【請求項２６】
前記リンク設定管理処理手段は、
前記リンク誘導情報を含む前記広告情報に符号を割り当て、予め設定された第５の条件に基づき符号別に積算を開始し、ランキング処理を行うステップ
を含むことを特徴とする、請求項１８から２５のいずれか１項に記載の広告情報リンク管理方法。
【請求項２７】
前記リンク設定管理処理手段は、
前記利用者端末からのリンク誘導手段選択数に応じて、又は、前記リンク提供サイト情報のランキング処理を行うステップ
を含むことを特徴する、請求項１８から２６のいずれか１項に記載の広告情報リンク管理方法。
【請求項２８】
前記リンク設定管理処理手段は、
ランキング処理をした結果を、前記リンク誘導情報を含む前記広告情報、及び／又は、前記リンク提供情報を予め設定された第６の条件に基づきグループ化するステップ
を含むことを特徴とする、請求項１８から２７のいずれか１項に記載の広告情報リンク管理方法。
【請求項２９】
前記リンク管理処理手段は、
リンク提供サイト上にリンク誘導手段を出力する、又は、広告情報にリンク誘導手段を出力するステップ
を含むことを特徴とする、請求項１８から２８のいずれか１項に記載の広告情報リンク管理方法。
【請求項３０】
前記利用者端末は、
前記管理サーバまたは前記リンク提供サーバに接続されることを特徴とする、請求項１８から２９のいずれか１項に記載の広告情報リンク管理方法。
【請求項３１】
前記リンク管理処理手段は、
予め設定された第７の条件に基づき、前記広告情報を前記利用者端末ごとに選択して配信するステップ
を含むことを特徴とする、請求項１８から３０のいずれか１項に記載の広告情報リンク管理方法。
【請求項３２】
前記管理サーバは、
リンク提供サイトに表示されたリンク誘導手段の選定に基づき、リンク誘導情報を含む広告情報を前記リンク誘導手段にリンク設定し、選定されたリンク誘導手段にリンクされていたウェブサイトを出力するまでの間に前記広告情報を配信するステップ
を含むことを特徴とする、請求項１８から３１のいずれか１項に記載の広告情報リンク管理方法。
【請求項３３】
前記リンク管理処理手段は、
前記広告配信者端末から入力された１または複数の前記広告情報および前記リンク誘導情報を、前記利用者端末から入力されたリンク誘導手段選定ごとに、予め設定されてある第８の条件に基づき複数の前記利用者端末へ配信するステップ
を含むことを特徴とする、請求項１８から３２のいずれか１項に記載の広告情報リンク管理方法。
【請求項３４】
前記管理サーバは、
リンク誘導手段の予め設定された第９の条件に基づき、前記広告情報及び前記リンク誘導情報を割り当てるステップ
を含むことを特徴とする、請求項１８から３３のいずれか１項に記載の広告情報リンク管理方法。
【発明の詳細な説明】
【技術分野】
【０００１】
この発明は、広告情報を利用した広告配信システム及びその方法に関する。より詳細には、広告効果の高い広告配信システム及びその方法に関する。
【背景技術】
【０００２】
近年、企業は自社のホームページを閲覧してもらう機会を増やすために、動画、静止画、テキスト型のバナー等を使用し、それらを検索エンジン等のアクセス数の多いウェブサイトに表示し、自社のホームページへ誘引する方法を利用している。さらに、バナー広告等には、企業が提供する懸賞を表示し、より高い誘引効果を得ようとするものもある。
【０００３】
図１１は、従来の広告配信システムのイメージ図である。図１１に示す利用者端末から引かれた破線の先に記載される枠は、リンク提供サーバから提供されるウェブサイトを示している。そして、図１１は、白抜きの矢印に従い、利用者端末に表示されるウェブサイトが変遷する様子を示している。なお、ウェブサイト上に表示される矢印は利用者端末のマウスポインタを示している。
【０００４】
まず、利用者端末はリンク提供サーバと通信を行う。リンク提供サーバは、利用者端末に対し、リンク提供サーバが開設するウェブサイトの情報を利用者端末に送信し、利用者端末がウェブサイトを出力する。リンク提供サーバが開設するウェブサイトには、リンク誘導手段が表示され、図１１に示す小枠「０１」「０２」「０３」「０４」がリンク誘導手段に該当する。なお、このリンク誘導手段が表示される小枠の数は限定されるものでない。
【０００５】
また、リンク誘導手段は、例えば、動画や静止画、テキストなどのバナー広告、ウェブサイト上に表示されるボタン、チェックボックス、ＵＲＬ(Uniform Resource Locator)、サムネイル（写真画像）、映像、設定時間、利用者による任意割当て、プログラムに基づく自動割当（商品、景品、文章、映像、写真、アンケート、キーワード、ゲーム、ダウンロード、メール送受信など）がある。
【０００６】
さらに、リンク誘導手段を利用者端末から操作することにより、利用者が閲覧を望むウェブサイトを利用者端末に送信し、利用者端末がそれを受信する。図１１に示す白抜きの矢印で指し示され、「××サイト」と表示される長方形は、リンク提供サーバによって開設されたウェブサイト上で、利用者がバナー広告を選択し、その結果、リンク設定されたウェブサイトを表示するものである。
【０００７】
したがって、例えば、リンク提供サーバのウェブサイトに表示されるバナー広告を、利用者がクリックすると、リンク提供者によって設定されたウェブサイトが利用者端末に表示される。
【０００８】
しかしながら、ウェブサイトに表示されたバナー広告は、利用者が意識して見ようとしない限り、利用者の記憶に残ることはない。したがって、バナー広告の広告効果は薄く、広告主が投資する多額の広告費以上の広告効果を得ることが難しい。
【０００９】
そこで、特許文献１では、バナー広告に代わる広告配信システムを開示している。この発明は、利用者がウェブサイトを閲覧している途中で広告情報を配信できるようにして、配信された広告情報を利用者に確実に見てもらえるようにする発明である。
【００１０】
特許文献１で開示される発明では、広告配信装置（サーバ）にウェブサイトの情報を有するコンテンツＤＢ（データベース）と、広告情報を有する広告ＤＢとを備え、設定された時間に基づいてＵＲＬ切替部が上記のデータベースを切り替えて、広告情報を配信するものである。これにより、テレビ番組の放送中に流すテレビＣＭと同様のイメージで、広告情報の配信を行うことができる。
【特許文献１】特開２００２−８３２１２号公報（第１頁  要約及び選択図）
【発明の開示】
【発明が解決しようとする課題】
【００１１】
しかしながら、特許文献１に開示される発明では、例えば、広告主が高額の費用を投資し、広告を作成し、その広告情報を配信しても、利用者の閲覧が少ないウェブサイトに広告情報を配信する場合は、その広告効果が薄いという問題点がある。
【００１２】
本発明は上述した問題点に鑑みてなされたものであり、インターネット上において、利用者にとって広告効果が高い広告情報リンク管理システム及びその方法を提供する。さらに、ウェブサイトが閲覧されている間のみならず、ウェブサイトが切り替わる間に、広告情報を配信するシステム及びその方法を提供する。
【課題を解決するための手段】
【００１３】
上記課題を解決するため、本発明では、以下のような手段をとる。なお、以下に記載するコンピュータシステムは、複数のコンピュータ、及び、それらのコンピュータ間をつなぐネットワークを含むものである。
【００１４】
管理サーバは、サイトの管理者が直接または間接に管理可能なサーバをいい、１つのサーバで構成される場合のみならず、各処理手段、各データベースの機能をいくつかのサーバに分散して持たせることも可能であり、後者の場合においては、これらのサーバの集合したものを管理サーバと呼ぶ。
【００１５】
リンク提供サイト内での閲覧及びリンク誘導手段の利用には、閲覧、問合せのみならず、その後の、懸賞への参加、商品またはサービスの購入、視聴、例えば、アンケート回答等のマーケティング参加を含む。
【００１６】
広告配信者端末は、広告主が直接または間接に管理可能な携帯端末であって、携帯電話をも含むコンピュータ端末である。さらに、広告主には法人だけでなく、個人も含まれる。
【００１７】
利用者端末は、利用者が直接または間接に管理可能な携帯端末であって、携帯電話をも含むコンピュータ端末である。
【００１８】
リンク提供サーバとは、本発明である広告情報リンク管理システムの管理者と提携契約を締結する法人または個人の提携者が運営するサーバであって、管理サーバから提供される情報をリンク提供サーバが開設するウェブサイトに表示するサーバである。さらに、リンク提供サーバは、検索エンジンサイト（検索エンジン機能）をも備えており、所定のキーワードをもとに、検索結果一覧が設定された順に表示される。さらに、リンク提供サーバが擬似的に広告配信者端末と化し、広告情報を提供することもできる。
【００１９】
なお、提携者は、本発明である広告情報リンク管理システムの管理者自身も含まれる概念であってもよい。
【００２０】
さらに、リンク提供サーバに端末を接続し、リンク提供者がその端末を操作し、リンク提供サーバを運用することや、必要なファイルをアップロードすることもできる。
【００２１】
リンク設定とは、広告情報にリンク誘導情報を予め設定された条件に基づき設定することである。リンク誘導情報とは、リンクされる側のウェブサイトのＩＰアドレスやＵＲＬなどが該当する。
【００２２】
広告の在庫とは、広告情報を利用する利用期限や、広告情報を配信する配信数などが該当する。
【００２３】
さらに、後述する予め設定された第１から第９の条件について詳細に定義する。なお、これらの条件は、利用者の嗜好などにより任意に選択できるものとし、限定されるものでない。具体的には、後述するアンケート種別について、利用者が希望しないのであれば、本発明のシステムから除外することも可能である。
【００２４】
予め設定された第１の条件とは、リンク提供者が選択した条件（設定料金、配信広告内容、広告配信時間、広告配信数、景品ジャンル、商品ジャンル、サービスジャンル、掲載写真内容、掲載文章内容、アンケート種別、設問数、質問または回答種別、質問または回答内容、メールマガジンジャンル、料金、種類、商品、検索キーワード、キャッシュ等）や、広告配信者が選択した条件（検索キーワード、メールマガジン配信種別、サイトジャンル、バナー位置、ＰＶＣ・ＢＣＣ数、設定料金、種類、広告配信数、景品ジャンル、商品ジャンル、サービスジャンル、掲載写真内容、掲載文章内容、アンケート種別、設問数、質問または回答種別、質問または回答内容）等を条件に任意設定もしくは自動選択により選択される条件である。
【００２５】
予め設定された第２の条件とは、サイト提供者の任意の終了設定条件であり、設定リンク数終了、設定時間経過、景品在庫の終了、広告在庫の終了、ページビューのカウント数（ＰＶＣ）、バナーのクリックのカウント数（ＢＣＣ）、広告配信の設定カウント数、アンケートの設定カウント数、設定料金（利用限度額、景品購入額）、検索結果が予め設定された表示回数を経過のいずれか１つまたは複数の条件をいう。なお、バナーとは、ウェブサイト上のスペースに表示された静止画、動画、テキスト（文字）およびそれらの組み合わせからなる広告手段である。
【００２６】
予め設定された第３の条件とは、バナーをクリックした回数やページを更新した回数、検索結果の場合は、検索キーワードの一致、メールマガジンの場合は、メールジャンルや配信数が条件であり、例えば、サイトジャンル、バナー位置、ＰＶＣ・ＢＣＣ数、設定料金、種類、広告配信数、景品ジャンル、商品ジャンル、サービスジャンル、掲載写真内容、掲載文章内容、アンケート種別、設問数、質問または回答種別、質問または回答内容、提供者による任意条件（リンク希望景品、ジャンル、価格、設定料金、種類、広告配信数、商品ジャンル、サービスジャンル、掲載写真内容、掲載文章内容、アンケート種別、設問数、質問または回答種別、質問または回答内容）等、リンク提供者または広告配信者による任意設定の条件である。
【００２７】
予め設定された第４の条件とは、広告配信時間、広告配信数、設定料金、アンケート設問数、アンケート回収数、広告ジャンル、メールマガジンのジャンル、配信数、検索キーワード、広告配信者または管理者による任意条件（リンク希望サイト、リンク希望景品、ジャンル、価格、設定料金、種類、広告配信数、商品ジャンル、サービスジャンル、掲載写真内容、掲載文章内容、アンケート種別、設問数、質問または回答種別、質問または回答内容）である。
【００２８】
予め設定された第５の条件とは、検索キーワード別、メール配信数別、リンク希望サイト、リンク希望景品、ジャンル、価格、設定料金、種類、広告配信数、商品ジャンル、サービスジャンル、掲載写真内容、掲載文章内容、アンケート種別、設問数、質問または回答種別、質問または回答内容、ランクアップ別（配信料金が低額の場合でも、リンク設定期間を通常よりも短期に設定することで、配信順位のランク（順位付）を上げさせる設定）広告のジャンル別、配信時間別などで、価格の低い広告情報を上位に割り当てる条件である。
【００２９】
予め設定された第６の条件とは、符号の付された景品情報を符号ごとにグループ化する条件であり、例えば、ＰＶ・ＢＣ・広告配信数、検索キーワード別、メール配信数別、リンク希望サイト、リンク希望景品、ジャンル、価格、設定料金、種類、広告配信数、商品ジャンル、サービスジャンル、掲載写真内容、掲載文章内容、アンケート種別、設問数、質問または回答種別、質問または回答内容、ランクアップ別（配信料金が低額の場合でも、リンク設定期間を通常よりも短期に設定することで、配信順位のランク（順位付）を上げさせる設定）、広告のジャンル別、配信時間別などがある。
【００３０】
予め設定された第７の条件とは、広告配信のジャンルであり、広告配信者または利用者の任意設定条件である。広告配信のジャンルの選定は、管理者から提供されるクッキーを通じて広告配信者端末または利用者端末に対して行われる。
【００３１】
なおクッキー（Cookie）とは、ウェブサイトの提供者が、ウェブブラウザを通じて訪問者のコンピュータに一時的にデータを書き込んで保存させる仕組みである。クッキーにはユーザに関する情報や最後にサイトを訪れた日時、そのサイトの訪問回数などを記録しておくことができる。クッキーはユーザの識別に使われ、認証システムや、ワールドワイドウェブ（ＷＷＷ）によるサービスをユーザごとにカスタマイズするパーソナライズシステムの要素技術として利用される。
【００３２】
予め設定された第８の条件とは、利用者による任意条件（検索キーワードの一致、サイトジャンル、景品ジャンル、商品ジャンル、サービスジャンル、掲載写真内容、掲載文章内容、アンケート種別、設問数、質問または回答種別、質問または回答内容）や、広告配信者による条件（検索キーワードの一致、サイトジャンル、バナー位置、ＰＶＣ・ＢＣＣ数、設定料金、種類、広告配信数、景品ジャンル、商品ジャンル、サービスジャンル、掲載写真内容、掲載文章内容、アンケート種別、設問数、質問または回答種別、質問または回答内容）等、リンク提供者または広告配信者による任意設定の条件である。
【００３３】
予め設定された第９の条件とは、リンク提供者が選択した条件（設定料金、配信広告内容、広告配信時間、広告配信数、景品ジャンル、商品ジャンル、サービスジャンル、掲載写真内容、掲載文章内容、アンケート種別、設問数、質問または回答種別、質問または回答内容、メールマガジンジャンル、料金、種類、商品、検索キーワード、キャッシュ等）や、広告配信者が選択した条件（検索キーワード、メールマガジン配信種別、サイトジャンル、バナー位置、ＰＶＣ・ＢＣＣ数、設定料金、種類、広告配信数、景品ジャンル、商品ジャンル、サービスジャンル、掲載写真内容、掲載文章内容、アンケート種別、設問数、質問または回答種別、質問または回答内容）等を条件に任意設定もしくは自動選択により選択される条件である。
【００３４】
請求項１記載の発明は、広告情報が出力される利用者端末と、利用者端末に出力されるウェブサイトを提供するリンク提供サーバと、リンク提供サーバからリンク誘導情報が入力される管理サーバと、利用者端末に出力される広告情報を管理サーバに入力する広告配信者端末とが通信ネットワークを介して接続された広告情報リンク管理システムであって、管理サーバは、広告情報をリンク誘導情報に割り当てるリンク設定管理処理手段と、リンク設定と同時またはリンク設定後、利用者端末からのリンク誘導手段の選択に基づき、利用者端末に広告情報を配信し、配信終了と同時または配信後、リンク誘導情報を利用者端末に送信するリンク管理処理手段と、を備えることを特徴とする。
【００３５】
これによって、管理サーバは、リンク誘導情報に広告情報を割り当て、リンク設定を開始することができる。さらに、リンク設定と同時またはリンク設定後、利用者端末からのリンク誘導手段の選択に基づき、利用者端末に広告情報を配信し、配信終了と同時または配信後、リンク誘導情報を利用者端末に送信することができる。利用者端末はリンク誘導情報を受信することができる。したがって、リンク提供サーバが開設するウェブサイト上のリンク誘導手段にリンクされたリンク先のウェブサイトへ移動（ジャンプ）することができる。このため、広告主にとって広告効果の高い広告情報リンク管理システムを実現できる。
【００３６】
請求項２に記載の発明は、広告情報が出力される利用者端末と、利用者端末に出力されるウェブサイトを提供するリンク提供サーバと、リンク提供サーバからリンク誘導情報が入力される管理サーバと、利用者端末に出力される広告情報を管理サーバに入力する広告配信者端末とが通信ネットワークを介して接続された広告情報リンク管理システムであって、管理サーバは、広告情報をリンク誘導情報に割り当てるリンク設定管理処理手段と、リンク設定と同時またはリンク設定後、利用者端末からのリンク誘導手段の選択に基づき、利用者端末に広告情報を配信し、配信終了と同時または配信後、リンク誘導手段の出力を行い、リンク終了後、リンク設定解除を予告した後、リンク設定解除を通知し、リンクを終了する、又は、リンク再更新設定を行うリンク管理処理手段と、を備えることを特徴とする。
【００３７】
これによって、管理サーバは、リンク誘導情報に広告情報を割り当て、リンク設定を開始することができる。さらに、リンク設定と同時またはリンク設定後、広告配信者端末またはリンク提供サーバに対しリンクを開始し、予め設定された条件に基づきリンク設定解除を予告した後、リンク設定解除を通知し、リンクを終了とすることができる。このため、広告主にとって広告効果の高い広告情報リンク管理システムを実現できる。
【００３８】
請求項３に記載の発明は、管理サーバが、リンク提供サーバから管理サーバに入力された１又は複数のリンク誘導情報を予め設定された条件に基づき管理サーバに割り当て、登録を開始し、及び／又は、登録更新処理を行うリンク誘導情報登録処理手段をさらに含むことを特徴とする。
【００３９】
これによって、リンク誘導情報を管理サーバに登録及び／又は登録更新ができる。このため、広告主にとって広告効果の高い広告情報リンク管理システムを実現できる。
【００４０】
請求項４に記載の発明は、管理サーバが、広告配信者端末から管理サーバに入力された１又は複数の広告情報およびリンク誘導情報を予め設定された条件に基づき管理サーバに割り当て、登録を開始し、及び／又は、登録更新処理を行う広告情報登録処理手段をさらに含むことを特徴とする。
【００４１】
これによって、広告配信者端末又は管理サーバは、広告情報を管理サーバに登録及び／又は登録更新ができる。このため、広告主にとって広告効果の高い広告情報リンク管理システムを実現できる。
【００４２】
請求項５に記載の発明は、管理サーバが、広告配信者端末に対して、リンク設定料の支払請求と、及び／又は、管理料の支払請求を出力する広告主向料金管理処理手段をさらに含むことを特徴とする。
【００４３】
これによって、請求項１から４に記載の発明に広告主向料金管理処理手段を追加することで、管理サーバは広告配信者端末に対し、リンク設定料の支払い請求、及び／又は、管理料の支払い請求をすることができる。このため、広告主にとって広告効果の高い広告情報リンク管理システムを実現できる。
【００４４】
請求項６に記載の発明は、管理サーバが、リンク提供サーバに対して、利用料の支払請求と、及び／又は、管理料の支払請求を出力し、利用者端末に対して、支払われる利用料の通知を出力するリンク提供者向料金管理処理手段をさらに含むことを特徴とする。
【００４５】
これによって、請求項１から５に記載の発明にリンク提供者向料金管理処理手段を追加することで、管理サーバはリンク提供サーバに対し、情報料の支払い請求、及び／又は、管理料の支払い請求をすることができ、利用者端末に対して、支払われる利用料を通知できる。このため、広告主にとって広告効果の高い広告情報リンク管理システムを実現できる。
【００４６】
請求項７に記載の発明は、リンク提供者向料金管理処理手段は、広告配信者端末及び／又は利用者端末から利用料の利用種別が入力されることを特徴とする。
【００４７】
これによって、広告主が希望する利用料の支払形態を選択できるとともに、利用者も受領する利用料の受領形態を選択することが可能となる。このため、広告主にとって広告効果の高い広告情報リンク管理システムを実現できる。
【００４８】
請求項８に記載の発明は、利用種別は、金銭・サービス・権利のいずれか１つまたは複数の組み合わせからなることを特徴とする。
【００４９】
これによって、利用料は金銭に限られず、金銭と同等の価値を有するポイントといったサービスや、本発明のシステムの機能を使用するためのアクセス権やダウンロードを許可する権利といった権利とすることが可能となる。このため、広告主にとって広告効果の高い広告情報リンク管理システムを実現できる。
【００５０】
請求項９に記載の発明は、リンク設定管理処理手段が、リンク誘導情報を含む広告情報に符号を割り当て、予め設定された条件に基づき符号別に積算を開始し、ランキング処理を行う手段を含むことを特徴とする。
【００５１】
これによって、リンク設定管理処理手段は、入力されたリンク誘導情報に符号を割り当て、予め設定された条件に基づき積算を開始し、リンク誘導情報にランキングを付けることができる。このため、広告主にとって広告効果の高い広告情報リンク管理システムを実現できる。
【００５２】
請求項１０に記載の発明は、リンク設定管理処理手段が、利用者端末からのリンク誘導手段選択数に応じて、又は、予め設定された条件に応じて、リンク提供サイト情報のランキング処理を行う手段を含むことを特徴する。
【００５３】
これによって、リンク設定管理処理手段は、利用者端末からの利用成果をバナー広告のクリック数またはページビューの更新回数により計ることができ、それらに基づき、リンク提供サイト情報のランキング付けをすることができる。このため、広告主にとって広告効果の高い広告情報リンク管理システムを実現できる。
【００５４】
請求項１１に記載の発明は、リンク設定管理処理手段が、ランキング処理をした結果を、リンク誘導情報を含む広告情報及び／又はリンク提供情報を予め設定された条件に基づきグループ化する手段を含むことを特徴とする。
【００５５】
これによって、グループ化されたリンク誘導情報、及び／又は、広告情報がリンク設定される。このため、広告主にとって広告効果の高い広告情報リンク管理システムを実現できる。
【００５６】
請求項１２に記載の発明は、リンク管理処理手段が、リンク提供サイト上にリンク誘導手段を出力する、又は、広告情報にリンク誘導手段を出力する手段を含むことを特徴とする。
【００５７】
これによって、利用者はリンク提供サイトに表示されたバナーなどのリンク誘導手段を操作することができ、また、配信途中の広告情報に対しても利用者はリンク誘導手段を操作することができる。このため、広告主にとって広告効果の高い広告情報リンク管理システムを実現できる。
【００５８】
請求項１３に記載の発明は、利用者端末が、管理サーバまたはリンク提供サーバに接続されることを特徴とする。
【００５９】
これによって、利用者端末はリンク提供サーバを介して管理サーバに接続することができ、また、直接管理サーバに接続することもできる。このため、広告主にとって広告効果の高い広告情報リンク管理システムを実現できる。
【００６０】
請求項１４に記載の発明は、リンク管理処理手段が、予め設定された条件に基づき、広告情報を利用者端末ごとに選択して配信する手段
を含むことを特徴とする。
【００６１】
これによって、リンク管理処理手段は予め設定された条件に基づき広告情報を利用者端末ごとに選択して配信することができる。したがって、設定条件によって利用者が興味を抱かない広告を配信する必要がなくなる。このため、広告主にとって広告効果の高い広告情報リンク管理システムを実現できる。
【００６２】
請求項１５に記載の発明は、管理サーバは、リンク提供サイトに表示されたリンク誘導手段の選定に基づき、リンク誘導情報を含む広告情報をリンク誘導手段にリンク設定し、選定されたリンク誘導手段にリンクされていたウェブサイトを出力するまでの間に広告情報を配信する手段を含むことを特徴とする。
【００６３】
これによって、利用者がリンク提供サイトに表示されたリンク誘導手段を選択することで、そのリンク誘導手段に広告情報をリンク設定し、リンク誘導手段にリンク設定されていたウェブサイトを表示するまでの間に広告情報を配信することができる。このため、広告主にとって広告効果の高い広告情報リンク管理システムを実現できる。
【００６４】
請求項１６に記載の発明は、リンク管理処理手段が、広告配信者端末から入力された１または複数の広告情報およびリンク誘導情報を、利用者端末から入力されたリンク誘導手段選定ごとに、予め設定されてある第９の条件に基づき複数の利用者端末へ配信する手段を含むことを特徴とする。
【００６５】
これによって、広告配信者端末から入力された広告情報およびリンク誘導情報をリンク誘導手段ごとに利用者端末に配信することができる。このため、広告主にとって広告効果の高い広告情報リンク管理システムを実現できる。
【００６６】
請求項１７に記載の発明は、管理サーバは、予め設定された第４の条件に基づき、リンク誘導手段に、リンク誘導情報を含む広告情報を割り当てる手段を含むことを特徴とする。
【００６７】
これによって、リンク提供サイト上に表示されるリンク誘導手段に、リンク誘導情報を含む広告情報を割り当てることができる。このため、広告主にとって広告効果の高い広告情報リンク管理システムを実現できる。
【００６８】
請求項１８に記載の発明は、広告情報が出力される利用者端末と、利用者端末に出力されるウェブサイトを提供するリンク提供サーバと、リンク提供サーバからリンク誘導情報が入力される管理サーバと、利用者端末に出力される広告情報を管理サーバに入力する広告配信者端末とが通信ネットワークを介して接続された広告情報リンク管理方法であって、管理サーバは、広告情報をリンク誘導情報に割り当て、リンクを設定するステップと、リンク設定と同時またはリンク設定後、利用者端末からのリンク誘導手段の選択に基づき、利用者端末に広告情報を配信し、配信終了と同時または配信後、リンク誘導情報を利用者端末に送信するステップと、を備えることを特徴とする。
【００６９】
これによって、管理サーバは、リンク誘導情報に広告情報を割り当て、リンク設定を開始することができる。さらに、リンク設定と同時またはリンク設定後、利用者端末からのリンク誘導手段の選択に基づき、利用者端末に広告情報を配信し、配信終了と同時または配信後、リンク誘導情報を利用者端末に送信することができる。利用者端末はリンク誘導情報を受信することができる。したがって、リンク提供サーバが開設するウェブサイト上のリンク誘導手段にリンクされたリンク先のウェブサイトへ移動（ジャンプ）することができる。このため、広告主にとって広告効果の高い広告情報リンク管理方法を実現できる。
【００７０】
請求項１９に記載の発明は、広告情報が出力される利用者端末と、利用者端末に出力されるウェブサイトを提供するリンク提供サーバと、リンク提供サーバからリンク誘導情報が入力される管理サーバと、利用者端末に出力される広告情報を管理サーバに入力する広告配信者端末とが通信ネットワークを介して接続された広告情報リンク管理方法であって、管理サーバは、広告情報をリンク誘導情報に割り当て、リンクを設定するステップと、リンク設定と同時またはリンク設定後、利用者端末からのリンク誘導手段の選択に基づき、利用者端末に広告情報を配信し、配信終了と同時または配信後、リンク誘導情報を利用者端末に送信し、リンク終了後、リンク設定解除を予告した後、リンク設定解除を通知し、リンクを終了する、又は、リンク再更新設定を行うステップと、を備えることを特徴とする。
【００７１】
これによって、管理サーバは、リンク誘導情報に広告情報を割り当て、リンク設定を開始することができる。さらに、リンク設定と同時またはリンク設定後、広告配信者端末またはリンク提供サーバに対しリンクを開始し、予め設定された条件に基づきリンク設定解除を予告した後、リンク設定解除を通知し、リンクを終了とすることができる。このため、広告主にとって広告効果の高い広告情報リンク管理方法を実現できる。
【００７２】
請求項２０に記載の発明は、管理サーバは、リンク提供サーバから管理サーバに入力された１又は複数のリンク誘導情報を予め設定された条件に基づき管理サーバに割り当て、登録を開始し、及び／又は、登録更新処理を行うステップをさらに含むことを特徴とする。
【００７３】
これによって、リンク誘導情報を管理サーバに登録及び／又は登録更新ができる。このため、広告主にとって広告効果の高い広告情報リンク管理方法を実現できる。
【００７４】
請求項２１に記載の発明は、管理サーバは、広告配信者端末から管理サーバに入力された１又は複数の広告情報およびリンク誘導情報を予め設定された第９の条件に基づき管理サーバに割り当て、登録を開始し、及び／又は、登録更新処理を行うステップをさらに含むことを特徴とする。これによって、広告配信者端末又は管理サーバは、広告情報を管理サーバに登録及び／又は登録更新ができる。このため、広告主にとって広告効果の高い広告情報リンク管理方法を実現できる。
【００７５】
請求項２２に記載の発明は、管理サーバは、広告配信者端末に対して、リンク設定料の支払請求と、及び／又は、管理料の支払請求を出力するステップをさらに含むことを特徴とする。
【００７６】
請求項１８から２１に記載の発明に広告主向の料金管理をステップを追加することで、管理サーバは広告配信者端末に対し、リンク設定料の支払い請求、及び／又は、管理料の支払い請求をすることができる。このため、広告主にとって広告効果の高い広告情報リンク管理方法を実現できる。
【００７７】
請求項２３に記載の発明は、管理サーバは、リンク提供サーバに対して、利用料の支払請求と、及び／又は、管理料の支払請求を出力し、利用者端末に対して、支払われる利用料の通知を出力するステップをさらに含むことを特徴とする。
【００７８】
請求項１８から２２に記載の発明にリンク提供者向の料金管理を行うステップを追加することで、管理サーバはリンク提供サーバに対し、情報料の支払い請求、及び／又は、管理料の支払い請求をすることができ、利用者端末に対して、支払われる利用料を通知できる。このため、広告主にとって広告効果の高い広告情報リンク管理方法を実現できる。
【００７９】
請求項２４に記載の発明は、リンク提供者向料金管理処理手段は、広告配信者端末及び／又は利用者端末から利用料の利用種別が入力されるステップを含むことを特徴とする。
【００８０】
これによって、広告主が希望する利用料の支払形態を選択できるとともに、利用者も受領する利用料の受領形態を選択することが可能となる。このため、広告主にとって広告効果の高い広告情報リンク管理方法を実現できる。
【００８１】
請求項２５に記載の発明は、利用料は、金銭・サービス・権利のいずれか１つまたは複数の組み合わせからなることを特徴とする。
【００８２】
これによって、利用料は金銭に限られず、金銭と同等の価値を有するポイントといったサービスや、本発明のシステムの機能を使用するためのアクセス権やダウンロードを許可する権利といった権利とすることが可能となる。このため、広告主にとって広告効果の高い広告情報リンク管理方法を実現できる。
【００８３】
請求項２６に記載の発明は、リンク設定を行うステップにおいて、リンク誘導情報を含む広告情報に符号を割り当て、予め設定された条件に基づき符号別に積算を開始し、ランキング処理を行うステップを含むことを特徴とする。
【００８４】
これによって、リンク設定管理処理手段は、入力されたリンク誘導情報に符号を割り当て、予め設定された条件に基づき積算を開始し、リンク誘導情報にランキングを付けることができる。このため、広告主にとって広告効果の高い広告情報リンク管理方法を実現できる。
【００８５】
請求項２７に記載の発明は、リンク設定を行うステップにおいて、利用者端末からのリンク誘導手段選択数に応じて、又は、予め設定された条件に応じて、リンク提供サイト情報のランキング処理を行うステップを含むことを特徴する。
【００８６】
これによって、リンク設定を行うステップにおいて、利用者端末からの利用成果をバナー広告のクリック数またはページビューの更新回数により計ることができ、それらに基づき、リンク提供サイト情報のランキング付けをすることができる。このため、広告主にとって広告効果の高い広告情報リンク管理方法を実現できる。
【００８７】
請求項２８に記載の発明は、リンク設定管理処理手段は、ランキング処理をした結果を、リンク誘導情報を含む広告情報、及び／又は、リンク提供情報を予め設定された条件に基づきグループ化するステップを含むことを特徴とする。
【００８８】
グループ化されたリンク誘導情報、及び／又は、広告情報がリンク設定される。このため、広告主にとって広告効果の高い広告情報リンク管理方法を実現できる。
【００８９】
請求項２９に記載の発明は、リンク管理処理手段は、リンク提供サイト上にリンク誘導手段を出力する、又は、広告情報にリンク誘導手段を出力するステップを含むことを特徴とする。
【００９０】
これによって、利用者はリンク提供サイトに表示されたバナーなどのリンク誘導手段を操作することができ、また、配信途中の広告情報に対しても利用者はリンク誘導手段を操作することができる。このため、広告主にとって広告効果の高い広告情報リンク管理方法を実現できる。
【００９１】
請求項３０に記載の発明は、利用者端末は、管理サーバまたはリンク提供サーバに接続されることを特徴とする。
【００９２】
これによって、利用者端末はリンク提供サーバを介して管理サーバに接続することができ、また、直接管理サーバに接続することもできる。このため、広告主にとって広告効果の高い広告情報リンク管理方法を実現できる。
【００９３】
請求項３１に記載の発明は、リンク管理処理手段は、予め設定された条件に基づき、広告情報を利用者端末ごとに選択して配信するステップを含むことを特徴とする。
【００９４】
これによって、リンク管理処理手段は予め設定された条件に基づき広告情報を利用者端末ごとに選択して配信することができる。したがって、設定条件によって利用者が興味を抱かない広告を配信する必要がなくなる。このため、広告主にとって広告効果の高い広告情報リンク管理方法を実現できる。
【００９５】
請求項３２に記載の発明は、管理サーバは、リンク提供サイトに表示されたリンク誘導手段の選定に基づき、リンク誘導情報を含む広告情報を前記リンク誘導手段にリンク設定し、選定されたリンク誘導手段にリンクされていたウェブサイトを出力するまでの間に前記広告情報を配信するステップを含むことを特徴とする。
【００９６】
これによって、利用者がリンク提供サイトに表示されたリンク誘導手段を選択することで、そのリンク誘導手段に広告情報をリンク設定し、リンク誘導手段にリンク設定されていたウェブサイトを表示するまでの間に広告情報を配信することができる。このため、広告主にとって広告効果の高い広告情報リンク管理方法を実現できる。
【００９７】
請求項３３に記載の発明は、リンク管理処理手段は、広告配信者端末から入力された１または複数の広告情報およびリンク誘導情報を、利用者端末から入力されたリンク誘導手段選定ごとに、予め設定されてある第９の条件に基づき複数の利用者端末へ配信するステップを含むことを特徴とする。
【００９８】
これによって、広告配信者端末から入力された広告情報およびリンク誘導情報をリンク誘導手段ごとに利用者端末に配信することができる。このため、広告主にとって広告効果の高い広告情報リンク管理方法を実現できる。
【００９９】
請求項３４に記載の発明は、管理サーバは、リンク誘導手段の予め設定された第４の条件に基づき、広告情報および前記リンク誘導情報を割り当てるステップを含むことを特徴とする。
【０１００】
これによって、リンク提供サイト上に表示されるリンク誘導手段に、リンク誘導情報を含む広告情報を割り当てることができる。このため、広告主にとって広告効果の高い広告情報リンク管理方法を実現できる。
【発明の効果】
【０１０１】
本発明の広告情報を利用した広告情報リンク管理システムまたは方法によると、リンク提供サーバを介すことで本発明の管理システムへのアクセスルートが増加する。その結果、利用者が管理サーバを捜し求めやすくなるので、この管理サーバに広告する広告主は利用者端末からの閲覧が増加し、ひいては、広告主にとって従来よりビジネス促進効果が高まることとなる。
【０１０２】
さらに、リンク提供サーバから管理サーバに入力されるリンク誘導情報と、広告情報とを予め設定された条件に基づきリンク設定することで、広告配信費用の高い広告情報と、閲覧の頻度の高いウェブサイトとをリンク設定することができ、広告主にとって広告効果の高いシステムとなる。また、利用者端末に表示されるウェブサイトが他のウェブサイトへ切り替わる途中で広告情報を配信するため、利用者は確実に広告に目を通す。したがって、広告主にとって広告効果の高いシステムとなる。
【発明を実施するための最良の形態】
【０１０３】
（第１実施形態）
まず、第１実施形態について図１乃至図１０を参照して説明する。図１は、第１実施形態のシステム構成図であり、これに基づいて、システム構成例の概要を説明する。
【０１０４】
広告情報を利用したビジネス促進システムは、広告情報により広告を行う広告主の複数の広告配信者端末１０と、その広告情報を閲覧する利用者の利用者端末３０（これは利用者携帯端末３１であってもよい。）と、管理者端末によって管理される管理サーバ２０と、管理サーバ２０に接続される複数のリンク提供サーバ６０とがインターネット等のネットワーク５０で相互通信可能に接続されるシステムである。なお、広告情報は広告配信者端末１０だけでなく、管理サーバ２０もまた提供することができる。また、図１に示すとおり、利用者端末１０はリンク提供サーバ６０を介さず、直接管理サーバ２０と接続することもできる。
【０１０５】
ここでの管理サーバ２０は、
（１）住所、氏名、電話番号、電子メールアドレス、趣味、嗜好等の顧客情報を登録する顧客管理処理手段Ｍ１０と、
（２）広告配信者端末１０からの広告情報を受信し、登録する広告情報登録処理手段Ｍ１１と、
（３）リンク提供サーバ６０からのリンク提供サイト情報を受信し、登録するリンク提供サイト情報処理手段Ｍ１２と、
（４）予め設定された条件に基づき、リンク提供サイト情報を広告情報に割り当てるリンク設定管理処理手段Ｍ１３と、
（５）リンク設定後、広告配信者端末１０またはリンク提供サーバ６０へリンクを開始し、予め設定された条件に基づき広告配信者端末１０及び／又はリンク提供サーバ６０へのリンク設定解除予告をした後、リンク設定解除を通知し、広告配信者端末１０及び／又はリンク提供サーバ６０とのリンク設定解除を行うリンク管理処理手段Ｍ１４と、
（６）リンク提供サイトとのリンク設定解除後、広告配信者端末１０に対して、利用者端末３０に配信された広告情報の利用成果に応じた管理サーバ２０へのリンク設定料及び／又は管理サーバ２０への管理料の支払い請求を出力する広告主向料金管理処理手段Ｍ１５と、
（７）広告情報とのリンク設定解除後、リンク提供サーバ６０に対して、広告情報が出力される利用者端末３０からのサービス利用成果に応じた利用料及び／又は管理サーバ２０への管理料の支払い請求を出力するリンク提供者向料金管理処理手段Ｍ１６と、
それぞれの手段Ｍ１０，Ｍ１１，Ｍ１２，Ｍ１３，Ｍ１４，Ｍ１５，Ｍ１６に対応するデータベースＤ１０，Ｄ１１，Ｄ１２，Ｄ１３，Ｄ１４，Ｄ１５，Ｄ１６を有している。ここでデータベースＤ１０，Ｄ１１，Ｄ１２，Ｄ１３，Ｄ１４，Ｄ１５，Ｄ１６は、それぞれの手段Ｍ１０，Ｍ１１，Ｍ１２，Ｍ１３、Ｍ１４，Ｍ１５，Ｍ１６と、ここでは便宜上分離して示したが、手段内の一要素とすることも出来る。
【０１０６】
次に、上記の各手段とそのデータベースの構成をその作用とともに順次説明する。なお、後述する各手段は、管理サーバ２０のハードウェア構成中、ＣＰＵ等の処理装置あるいはそこで実行されるプログラム、およびハードディスク等の記憶装置により実現される。
【０１０７】
図２は、管理サーバ２０内の顧客管理処理手段Ｍ１０とそのデータベースＤ１０、広告情報登録処理手段Ｍ１１とそのデータベースＤ１１の構成を示す構成図である。
【０１０８】
まず、広告主は広告しようとする広告情報を広告配信者端末１０に入力する。広告受付管理処理部ｍ１１０１は、広告配信者端末１０からの広告情報入力Ｉ１００１を受付け、広告受付管理情報記憶部ｄ１１０１に記憶する。これにより、管理サーバ２０内に広告情報及び入力した広告主の情報、例えば、広告配信者端末１０のＩＰアドレス、予め登録されたユーザコード等が登録される。この広告情報は、広告審査管理処理部ｍ１１０３により、広告審査管理情報記憶部ｄ１１０３に予め登録されている審査データを参照して、登録するにふさわしいかを判定する。
【０１０９】
広告配信者端末１０から入力された広告情報がふさわしくない場合、広告審査管理処理部ｍ１１０３は、広告登録不可出力Ｏ１００１を広告情報の入力が行われた広告配信者端末１０宛に送信する。一方で、広告配信者端末１０から入力された広告情報がふさわしい場合、広告登録管理処理部ｍ１１０５は、その広告情報の登録データを広告登録管理情報記憶部ｄ１１０５に記憶する。
【０１１０】
広告在庫管理処理部ｍ１１０７は、広告情報の在庫状況を、広告在庫管理情報記憶部ｄ１１０７に記憶し、残数管理を行う。広告利用期限管理処理部ｍ１１０９は、広告利用期限を広告利用期限管理情報記憶部ｄ１１０９に記憶しその管理を行う。
【０１１１】
広告連続リンク指示管理処理部ｍ１１１１は、広告の在庫と利用期限の状況を参照して、連続リンク指示出力Ｏ１００３を広告配信者端末１０に発信するとともに、広告連続リンク指示管理情報記憶部ｄ１１１１に記憶する。なお、広告連続リンク指示とは広告の在庫が切れたり、広告配信者端末１０から入力される広告情報の利用期限が切れた場合に、引き続き（連続して）広告主が管理サーバ２０に広告情報を掲載するか否かの判断を求める指示である。
【０１１２】
広告配信者リンク指示管理処理部ｍ１１１３は、広告登録管理処理部ｍ１１０５の景品登録処理完了信号を受けて、リンク設定指示信号を、広告配信者リンク指示管理情報記憶部ｄ１１１３に記憶するとともに、この信号をリンク設定管理処理手段Ｍ１３に出力する。
【０１１３】
図３は、リンク提供サイト情報登録処理手段Ｍ１２とそのデータベースＤ１２の構成を示す構成図である。
【０１１４】
次に、サイト情報受付管理処理部ｍ１２０１は、リンク提供サーバ６０からのリンク提供サイト情報入力Ｉ１００３を受付け、サイト情報受付管理情報記憶部ｄ１２０１に記憶する。これにより、管理サーバ２０内にリンク提供サイト情報及びリンク提供サイトに表示させるリンク誘導情報（リンクされる側ウェブサイトのＵＲＬ等）が登録される。このリンク提供サイト情報は、サイト情報審査管理処理部ｍ１２０３により、サイト審査管理情報記憶部ｄ１２０３に予め登録されている審査データを参照して、登録するにふさわしいかを判定する。
【０１１５】
リンク提供サーバ６０から入力されたリンク提供サイト情報がふさわしくない場合、サイト情報審査管理処理部ｍ１２０３は、リンク提供サイト情報登録不可出力Ｏ１００５をリンク提供サイト情報を提供するリンク提供サーバ６０に送信する。一方で、リンク提供サーバ６０から入力されたリンク提供サイト情報がふさわしい場合、サイト情報登録管理処理部ｍ１２０５は、リンク提供サイト情報をサイト情報登録管理情報記憶部ｄ１２０５に記憶する。
【０１１６】
サイト情報利用期限管理処理部ｍ１２０７は、リンク提供サイト情報の利用期限をサイト情報利用期限管理情報記憶部ｄ１２０７に記憶し、その管理を行う。サイト情報連続提供指示管理処理部ｍ１２０９は、利用期限の状況を参照して、リンク提供サイト情報連続提供指示出力Ｏ１００７をリンク提供サーバ６０に発信するとともに、サイト情報連続提供指示管理情報記憶部ｄ１２０９に記憶する。なお、リンク提供サイト情報連続提供指示とはリンク提供サーバ６０から提供されるリンク提供サイト情報の利用期限が切れた場合に、引き続き（連続して）リンク提供サーバ６０が管理サーバ２０にリンク提供サイト情報を掲載するか否かの判断を求める指示である。
【０１１７】
サイト情報登録リンク指示管理処理部ｍ１２１１は、サイト情報登録管理処理部ｍ１２０５のサイト情報登録処理完了信号を受けて、リンク設定指示信号を、サイト情報登録リンク指示管理情報記憶部ｄ１２１１に記憶するとともに、この信号をリンク設定管理処理手段Ｍ１３に出力する。
【０１１８】
図４は、リンク設定管理処理手段Ｍ１３とそのデータベースＤ１３の構成を示す構成図である。
【０１１９】
広告配信者リンク指示管理処理部ｍ１１１３からのリンク設定指示信号を広告配信者リンク指示受付管理処理部ｍ１３０１が受けて、これを広告配信者リンク指示受付管理情報記憶部ｄ１３０１に記憶する。サイト情報登録リンク指示管理処理部ｍ１２０９からのリンク設定指示信号をリンク提供サイト情報受付管理処理部ｍ１３０３が受けて、これをリンク提供サイト情報受付管理情報記憶部ｄ１３０３に記憶する。
【０１２０】
広告情報積算管理処理部ｍ１３０５は、広告配信者端末１０から管理サーバ２０に登録された複数の広告情報を積算し、広告情報積算管理情報記憶部ｄ１３０５に記憶する。さらに広告情報ランキング管理処理部ｍ１３０７は、広告配信者端末１０から管理サーバ２０に登録された複数の広告情報に符号を割り当て、予め設定された第５の条件に基づきランキング（順位）付けを行い、広告情報ランキング管理情報記憶部ｄ１３０７に記憶する。なお、この符合は、広告主が提供する広告の種類（例えば、音楽に関連する広告や旅行に関連する広告など）を識別するための符号である。
【０１２１】
さらに、広告情報ランキング管理情報記憶部ｄ１３０７に記憶され、ランキング付けされた広告情報を予め設定された第７の条件に基づきグループ化する。ここでの第７の条件とは、符号の付された広告情報を符号ごとにグループ化する条件である。これによって、広告配信者端末１０によって登録された広告情報が各グループごとに広告の配信価格の値段や配信数の時間（１５秒、３０秒等）でランキング付けされ、記憶される。また、新たに広告情報が登録された場合には、広告情報ランキング管理処理部ｍ１３０７及び広告情報グループ化管理処理部ｍ１３０９によって、再度ランキング処理、グループ化処理が行われ、適切なランキング、グループに割り当てられ、更新される。
【０１２２】
サイト情報積算管理処理部ｍ１３１１は、リンク提供サーバ６０から管理サーバ２０に登録されたリンク提供サイト情報に符号を割当て、予め設定された第３の条件に基づき積算し、サイト情報積算管理情報記憶部ｄ１３１１に記憶する。ここでの条件とは、バナーをクリックした回数やページを更新した回数が条件となる。
【０１２３】
サイト情報ランキング管理処理部ｍ１３１３は、サイト情報積算管理情報記憶部ｄ１３１１に記憶されたクリック数またはカウント数ごとのサイト情報を数値の高い順にランキング付けし、サイト情報ランキング管理情報記憶部ｄ１３１３に記憶する。さらに、サイト情報ランキング管理情報記憶部ｄ１３１３に記憶され、ランキング付けされたリンク提供サイト情報をサイト情報グループ化管理処理部ｍ１３１５は予め設定された第７の条件に基づきグループ化し、サイト情報グループ化管理情報記憶部ｄ１３１５に記憶する。ここでの第７の条件とは、リンク提供サイト情報に割り当てられた符号ごとにグループ化する条件である。
【０１２４】
リンク設定先検索管理処理部ｍ１３１７は、広告情報グループ化管理情報記憶部ｄ１３０９に記憶され、グループ化された広告情報を基に、サイト情報グループ化管理情報記憶部ｄ１３１５に記憶され、グループ化されたリンク提供サイト情報を予め設定された条件に基づき検索し、その情報をグループごとに抽出する。ここでの条件は、グループ化された広告情報の上位グループが、グループ化されたリンク提供サイト情報の上位グループに割り当てられる条件である。
【０１２５】
リンク設定管理処理部ｍ１３１９は、抽出されたリンク提供サイト情報をグループ化された広告情報に割り当て、リンク設定する。このリンク設定の記憶は、リンク設定管理情報記憶部ｄ１３１９に記憶される。これにより、リンク提供サーバ６０が開設するウェブサイト上の表示位置情報（バナーが表示されるスペース）が、広告配信者の提供する広告情報へリンク設定される。なお、上述したランキング処理、グループ化処理、リンク設定処理については、後述する図１０においても詳細に説明する。
【０１２６】
リンク設定解除指示受付管理処理部ｍ１３２１は、リンク設定解除指示信号を受付けた場合、それをリンク設定解除指示受付管理情報記憶部ｄ１３２１に記憶し、リンク設定解除管理処理部ｍ１３２３が、その特定されたリンクの解除を行い、この状況をリンク設定解除管理情報記憶部ｄ１３２３に記憶する。リンク設定管理処理部ｍ１３１９によりリンク設定された後、リンク指示管理処理部ｍ１３２５は、次のリンク管理処理手段Ｍ１４にリンク指示信号を送る。なお、ここでの、リンク設定管理処理手段Ｍ１３に於けるリンク設定は、スタンバイ状態として、リンク管理処理手段Ｍ１４に知らせ、リンク管理処理手段Ｍ１４からのリンク指示を待つものとしてもよい。
【０１２７】
図５は、リンク管理処理手段Ｍ１４とそのデータベースＤ１４の構成を示す構成図である。
【０１２８】
リンク指示管理処理部ｍ１３２５からのリンク管理処理手段Ｍ１４へのリンク指示信号を受けて、リンク指示受付管理処理部ｍ１４０１は、これを受付け、リンク指示受付管理情報記憶部ｄ１４０１に記憶する。リンク許可管理処理部ｍ１４０３は、リンク設定後の広告配信者端末１０からのリンクを許可し、これをリンク許可管理情報記憶部ｄ１４０３に記憶する。これに伴ってリンクサービスが開始される。リンクタイム管理処理部ｍ１４０５は、リンク時間の設定、起算、積算を行い、これをリンクタイム管理情報記憶部ｄ１４０５に記憶する。
【０１２９】
広告管理処理部ｍ１４０７は、広告管理情報記憶部ｄ１４０７を参照して、広告情報を複数の利用者端末３０に広告情報出力Ｏ１００９として配信する。閲覧管理処理部ｍ１４０９は、利用者端末３０からのリンク提供サイトの閲覧情報を受付け、これを閲覧管理情報記憶部ｄ１４０９に記憶する。
【０１３０】
注文管理処理部ｍ１４１１は、利用者端末３０から受けた注文を注文管理情報記憶部ｄ１４１１に記憶し、商品送付を指令する商品送付出力Ｏ１０１１を送信する。なお、利用者端末３０から受けた注文が不動産広告や求人広告等のサービスに関する問合せに該当する場合、注文管理処理部ｍ１４１１は、物件情報や面接日等の回答を商品送付出力Ｏ１０１１として送信する。視聴管理処理部ｍ１４１３は、視聴サービスの要請を受けて、視聴出力指示出力Ｏ１０１３を送信し、この状況を視聴管理情報記憶部ｄ１４１３に記憶する。なお、管理サーバ２０で把握できない注文情報や視聴情報に関しては、リンク提供サイトを管理するリンク提供サーバ６０との交信により、それらの情報を取得できる。
【０１３１】
マーケティング管理処理部ｍ１４１５は、マーケティング管理情報記憶部ｄ１４１５と協働で、利用者端末３０に対するアンケートなどのマーケティング参加調査を行い、その結果をマーケティング集計結果出力Ｏ１０２１として送出する。懸賞ゲーム管理処理部ｍ１４１７は、懸賞用のゲームを本発明のシステムが設ける場合の懸賞用のゲームの管理を懸賞用のゲーム管理情報記憶部ｄ１４１７と協働で行う。景品管理処理部ｍ１４１９は、懸賞提供情報登録処理手段Ｍ１１で登録された懸賞の管理処理を総合的に司り、景品送付指示出力Ｏ１０１７を出すとともに、この状況を景品管理情報記憶部ｄ１４１７に記憶する。なお、管理サーバ２０で把握できないマーケティング情報や景品情報に関しては、リンク提供サーバ６０との交信により、それらの情報を取得できる。
【０１３２】
リンク停止条件管理処理部ｍ１４２５は、リンク停止条件管理情報記憶部ｄ１４２５とともに、予め設定された第２の条件であるリンク停止条件を、総合的に管理する。この実施形態においては、予め設定された第２の条件の一部とされている設定時間経過は、リンクタイム管理処理部ｍ１４０５で、景品在庫の終了については、景品在庫管理処理部ｍ１１０７と景品在庫管理情報記憶部ｄ１１０７で行う。
【０１３３】
ページビューのカウント数（ＰＶＣ）とバナーのクリックのカウント数（ＢＣＣ）については、ＰＶ・ＢＣ設定管理処理部ｍ１４２１でそれぞれのカウント数を設定し、ＰＶ・ＢＣ設定管理情報記憶部ｄ１４２１に記憶する。また、ＰＶ・ＢＣ積算管理処理部ｍ１４２３でこれらをカウントし積算して、ＰＶ・ＢＣ積算管理情報記憶部ｄ１４２３に記憶する。これらの予め設定された条件は、いずれか１つまたは複数の条件でもよい。なお、管理サーバ２０で把握できないページビューのカウント数やバナーのクリックのカウント数に関しては、リンク提供サイトを管理するリンク提供サーバ６０との交信により、それらの情報を取得できる。
【０１３４】
リンク停止条件は、図８に基づき後述するように周期的にチェックされる。連続リンク管理処理部ｍ１４２７は、連続リンク管理情報記憶部ｄ１４２７と協働して連続リンク指示出力Ｏ１０１９を該当リンク提供サーバ６０に出す。リンク停止指示管理処理部ｍ１４２９は、リンク終了を確認し、リンク終了出力Ｏ１０２１を送出し、この状況をリンク停止指示管理情報記憶部ｄ１４２９に記憶する。これにより、管理サーバ２０はリンク提供サーバ６０へのリンクサービスの設定解除を予告した後、リンク設定解除を通知し、リンク提供サーバ６０のリンクは終了となる。
【０１３５】
リンク提供サーバ６０のリンクが終了すると、リンク設定解除指示管理処理部ｍ１４３１は、リンク設定管理処理手段Ｍ１３のリンク設定解除指示受付管理処理部ｍ１３２１にリンク設定解除指示信号を与え、リンク設定解除指示管理情報記憶部ｄ１４３１は、この状況を記憶する。リンク設定管理処理手段Ｍ１３のリンク設定解除管理処理部ｍ１３２３が、リンク設定を解除する。料金精算指示管理処理部ｍ１４３３は、料金精算指示管理情報記憶部ｄ１４３３と協働して、図６の広告主向料金管理処理手段Ｍ１５と図７のリンク提供者向料金管理処理手段Ｍ１６に料金精算指示信号を与える。なお、料金精算指示管理処理部ｍ１４３３は、広告情報とのリンク設定解除後だけでなく、週単位、あるいは１０日などの設定された期間ごとに、図６の広告主向料金管理処理手段Ｍ１５及び図７のリンク提供者向料金管理処理手段Ｍ１６に料金精算指示信号を与えるようにすることができ、それによって期間ごとの精算を確実に行うことも望ましい。
【０１３６】
図６は、広告主向料金管理処理手段Ｍ１５とそのデータベースＤ１５の構成を示す構成図である。
【０１３７】
料金精算指示管理処理部ｍ１４３３からの広告主向料金精算指示信号を料金精算指示受付管理処理部ｍ１５０１が受け、これを料金精算指示受付管理情報記憶部ｄ１５０１に記憶する。それぞれの利用料金は、その性格に応じて、次の各管理処理部で行われる。
【０１３８】
広告売上げ代金は、広告売上代金積算管理処理部ｍ１５０３で処理され、広告売上代金積算管理情報記憶部ｄ１５０３に記憶される。注文売上げ代金は、注文売上代金積算管理処理部ｍ１５０５で処理され、注文売上代金積算管理情報記憶部ｄ１５０５に記憶される。閲覧売上げ代金は、閲覧売上代金積算管理処理部ｍ１５０７で処理され、閲覧売上代金積算管理情報記憶部ｄ１５０７に記憶される。マーケティング利用代金は、マーケティング利用代金積算管理処理部ｍ１５０９で処理され、マーケティング利用代金積算管理情報記憶部ｄ１５０９に記憶される。
【０１３９】
各広告主サイトの売上げは、広告主別サイト売上合計管理処理部ｍ１５１１で処理され、広告主別サイト売上合計管理情報記憶部ｄ１５１１に記憶される。各広告主のリンク設定料は、上記の該当する処理部と情報記憶部からリンク設定料計算管理処理部ｍ１５１５で計算され、リンク設定料計算管理情報記憶部ｄ１５１５に記憶される。
【０１４０】
リンク設定料請求管理処理部ｍ１５１５は、リンク設定料請求出力Ｏ１０２３を該当する広告配信者端末１０宛に送出する。これは、リンク設定料請求管理情報記憶部ｄ１５１５に記憶される。これにより、広告配信者がリンクを終了させた場合または設定期間ごとに、管理サーバ２０は広告配信者端末１０に対して、利用者端末３０からのサービス利用成果に応じたリンク設定料の支払請求を行う。具体的には、利用者がリンク提供サイトに掲載されたリンク誘導手段（バナー広告等）をクリックすると、リンク設定されたウェブサイトに更新される。ウェブサイトのページビューのカウントやバナークリックのカウントが増加すると、利用成果は増加する。リンク設定料入金管理処理部ｍ１５１７は、広告配信者端末１０からの入金があった場合、リンク設定料請求管理情報記憶部ｄ１５１５の記憶と対照し、その結果を、リンク設定料入金管理情報記憶部ｄ１５１７に記憶する。なお、上述した支払請求及び入金確認については、クレジットカード決済や電子マネー決済等の決済手段でも行うことができる。
【０１４１】
図７は、リンク提供者向料金管理処理手段Ｍ１６とそのデータベースＤ１６の構成を示す構成図である。
【０１４２】
料金精算指示管理処理部ｍ１４３３からのリンク提供者向料金精算指示信号を料金精算指示受付管理処理部ｍ１６０１が受け、これを料金精算指示受付管理情報記憶部ｄ１６０１に記憶する。それぞれの利用料金は、その性格に応じて、次の各管理処理部で行われる。
【０１４３】
各リンク提供サーバ６０の売上げは、サイト売上合計管理処理部ｍ１６１１で処理され、サイト売上合計管理情報記憶部ｄ１６１１に記憶される。各リンク提供サーバ６０のリンク設定料は、上記の該当する処理部と情報記憶部からリンク設定料計算管理処理部ｍ１６１５で計算され、リンク設定料計算管理情報記憶部ｄ１６１５に記憶される。
【０１４４】
利用料請求管理処理部ｍ１６１５は、リンク設定料請求出力Ｏ１０２５を該当するリンク提供サーバ６０宛に送出する。これは、利用料請求管理情報記憶部ｄ１６１５に記憶される。これにより、広告主がリンクを終了させた場合または設定期間ごとに、管理サーバ２０はリンク提供サーバ６０に対して、利用者端末３０からのサービス利用成果に応じた利用料の支払請求を行う。利用料入金管理処理部ｍ１６１６は、リンク提供サーバ６０からの入金があった場合、利用料請求管理情報記憶部ｄ１６１６の記憶と対照し、その結果を、利用料入金管理情報記憶部ｄ１６１７に記憶する。なお、本手段においても支払請求及び入金確認については、クレジットカード決済や電子マネー決済等の決済手段でも行うことができる。
【０１４５】
さらに、管理サーバ２０から利用者端末３０に支払われるリンク設定料は、金銭に限られず、それと同等の価値を有するサービスによる対価、例えば、本発明のシステムの他の機能を使用し、景品などと交換する場合のサービスポイント、本発明のシステムが開設する特別なウェブサイトを利用するためのアクセス権、本発明のシステムから提供されるソフトウェアを電気通信回線を通じてダウンロードするための許可権などであってもよい。
【０１４６】
次に図８のリンク提供サイトへの再リンク手順を示すフローチャートに基づき、連続リンク指示管理処理部ｍ１１１１と連続リンク管理処理部ｍ１４２７におけるリンク提供サイトへの再リンク機能を説明する。
【０１４７】
リンクタイム管理処理部ｍ１４０５から出される間欠的信号に基づき、ステップＳ１で、リンク許可確認指示信号を出す。ステップＳ２で、最終広告利用期限が終了しているか否かを判定する。ＮＯ（否）であれば、次のステップＳ４で、ページビューの設定カウント数（設定ＰＶ）またはバナークリックの設定カウント数（設定ＢＣ）または配信数の設定カウント数が超過しているか否かを判定する。ＮＯ（否）であれば、次のステップＳ５で、広告在庫が終了しているか否かを判定する。ＮＯ（否）であれば、次のステップＳ６で、設定時間が終了しているか否かを判定する。ＮＯ（否）であれば、次のステップＳ７に移行する。ここまでの各ステップのいずれかで、ＹＥＳ（終了・超過）であれば、ステップＳ１０で連続リンク条件確認指示信号を出力し、ステップＳ１１で、連続リンク用広告登録が完了しているか否かを判定する。ＮＯ（否）であれば、ステップＳ１２でリンク停止指示を出す。ＹＥＳ（登録完了）であれば、ステップＳ１に戻る。
【０１４８】
ステップＳ７では、設定時間終了まで２４時間あるか否かを判定する。ＮＯ（否）であれば、次のステップＳ８で、設定ＰＶまたは設定ＢＣまたは設定配信数が８０％超過しているか否かを判定する。ＮＯ（否）であれば、次のステップＳ９で、広告在庫が残り１か否かを判定する。ＮＯ（否）であれば、ステップＳ１に戻る。
【０１４９】
もしステップＳ７，Ｓ８，Ｓ９のいずれかの判定が、ＹＥＳであれば、ステップＳ１３で連続リンク確認指示信号をリンクしている広告配信者端末１０に送る。また、ステップＳ７，Ｓ８，Ｓ９のいずれかの判定が、ＹＥＳであってもステップＳ１に戻る。これによって、リンクしている広告配信者が、連続リンク用広告登録を行わない限り、いずれにしてもステップＳ１１の判定はＮＯとなり、ステップＳ１１で、リンク停止指示が出されることになる。
【０１５０】
図９は、本発明である広告情報リンク管理システムを模式的に示す図である。そして、図９に示す利用者端末から引かれた破線の先に記載される枠は、リンク提供サーバ６０から提供されるウェブサイトを示しており、白抜きの矢印に従い、利用者端末３０に表示されるウェブサイトが変遷する様子を示している。なお、ウェブサイト上に表示される矢印は利用者端末のマウスポインタを示している。
【０１５１】
まず、利用者端末３０はリンク提供サーバ６０と通信を行う。リンク提供サーバ６０は、利用者端末３０に対し、リンク提供サーバ６０が開設するウェブサイトを閲覧させる。リンク提供サーバ６０が開設するウェブサイトには、リンク誘導手段が表示され、図９に示す小枠「０１」「０２」「０３」「０４」が該当する。なお、このリンク誘導手段が表示される小枠の数は限定されるものでない。
【０１５２】
また、リンク誘導手段は、例えば、動画や静止画、テキストなどのバナー広告、ウェブサイト上に表示されるボタン、チェックボックス、アドレス（ドメイン）、サムネイル（写真画像）、映像、設定時間、利用者による任意割当て、プログラムに基づく自動割当（商品、景品、文章、映像、写真、アンケート、キーワード、ゲーム、ダウンロード、メール送受信など）がある。
【０１５３】
さらに、利用者がリンク誘導手段を操作することにより、利用者が閲覧を望むウェブサイトを表示させる条件（リンク誘導先条件）は、リンク提供者、広告主、本発明の管理サーバの管理者、利用者によって設定された条件によって決定される。したがって、例えば、リンク提供サーバのウェブサイトに表示されるバナー広告を、利用者がクリックすると、リンク提供者によって設定されたウェブサイトが利用者端末に表示される。
【０１５４】
次に、利用者がリンク誘導手段を操作した後の利用者端末に表示される内容を説明する。
【０１５５】
図９に示す白抜きの矢印で挟まれた長方形は、利用者端末に表示される広告情報を示す。長方形内の２人の人物及びその間にある円が広告情報である。さらに、広告情報の下にある「＠サイトへＧＯ！」と記載された部分はリンク誘導手段であり、広告情報の配信中に顧客が当該リンク誘導手段を操作すると、広告主によって設定されたリンク設定先（ウェブサイト）へ移動（ジャンプ）する。
【０１５６】
なお、利用者が当該リンク誘導手段を操作しない場合には、広告情報を予め設定された時間（例えば、１５秒）出力し、当該時間経過後、出力を終了し、リンク提供サーバが開設するウェブサイト上において利用者が操作したリンク誘導手段のリンク誘導先条件に基づいたウェブサイトに移動（ジャンプ）する。なお、広告情報は、広告主が広告配信者端末によって入力した情報であり、テキスト、映像、音声、アンケート等である。また、広告情報を出力する時間については広告主の任意設定、または、管理者との契約によって定められた時間に基づき出力する。
【０１５７】
最後に、リンク誘導先条件に基づいて表示されるウェブサイトを説明する。
【０１５８】
図９に示す白抜きの矢印で指し示され、「××サイト」と表示される長方形は、リンク提供サーバによって開設されたウェブサイト上で、利用者がバナーを選択し、その結果、リンク設定されたウェブサイトを表示するものである。
【０１５９】
「こちらのサイトへ！」と記載された部分は、リンク誘導手段であり、その構成要素は上述したリンク誘導手段の構成要素と同一である。当該リンク誘導手段を利用者が操作すると、リンク提供者、広告主、本システムの管理者、利用者によって設定された条件に基づいて決定されるウェブサイトへ移動（ジャンプ）する。
【０１６０】
図１０は、上述したランキング処理、グループ化処理、リンク設定処理を模式的に示す図である。なお、図１０は、管理サーバ２０の内部で処理されるものであり、ウェブサイト上に表示されるものではない。
【０１６１】
図１０（１）に示す広告ランキングは、各広告配信者の提供する広告情報の配信数の多いものなどからランキング付けされ、さらに、広告の種類別にグループ化される。なお、図１０（１）に示す広告情報のグループは１位から５位までのＡグループと６位から９位までのＢグループとに分かれているが、グループ化する単位はこれに限らず、１位から３位のＡグループ、４位から６位のＢグループ、７位から９位のＣグループ等としてもよい。
【０１６２】
また、図１０（１）に示すＢＣランキングは、各リンク提供サイトのアクセスの多く、さらに、バナーのクリック数の多いものからランキング付けされている。さらに、各順位とリンク提供サイト情報の間に表示された２桁の数値は、各リンク提供サイトに表示されるバナーの表示位置を示している。すなわち、同じリンク提供サイトにおいて異なる２桁の数値がランキング付けされている場合、リンク提供サイト上の別々のスペースを示しており、例えば、図１０（１）において２位と７位のリンク提供サイトは同一であるが、そのリンク提供サイト上のバナーが表示される位置（スペース）は異なる位置であることを示している。
【０１６３】
各リンク提供サイト情報は、それぞれに割り当てられた符号によりグループ化される。なお、図１０（１）に示すＢＣランキングのグループは１位から５位までのＡグループと６位から９位までのＢグループとに分かれているが、グループ化する単位はこれに限らず、１位から３位のＡグループ、４位から６位のＢグループ、７位から９位のＣグループ等としてもよい。
【０１６４】
グループ化された広告情報とリンク提供サイト情報が決定すると、それぞれのグループごとにリンク設定がされる。したがって、上位にランキング付けされた広告情報とリンク提供サイト情報がリンク設定されることとなる。
【０１６５】
図１０（２）は、バナーのクリック数に代わり、ページビューの更新回数が多いものからランキング付けされ、符号別にグループ化される。ページビューの更新回数がランキング付けされ、グループ化された後のリンク設定は、上述した（１）の処理と同一である。
【０１６６】
（第２実施形態）
本発明の広告情報リンク管理システムは、他の端末（以下、情報提供者端末という。）を追加して、以下の態様とすることができる。本実施形態を図１２を参照しながら詳細に説明する。
【０１６７】
まず、第１実施形態で説明したとおり、矢印Ａに基づき、広告情報及びリンク設定料（適宜、スポンサー料、広告配信料という）が、広告配信者端末１０から管理サーバ２０に入力され、登録される。次に、リンク提供サーバ６０に接続された情報提供者端末７０から任意の質問情報を入力する。質問情報は、矢印Ｂに基づきリンク提供サーバ６０を通し管理サーバ２０に登録され、リンク提供サーバ６０によって開設されたリンク提供サイトに表示される。リンク提供サイトに表示された質問情報が、利用者端末３０によって閲覧される。その質問情報に対する回答情報を利用者端末３０から入力すると、回答情報は、矢印Ｃに基づきリンク提供サーバ６０を経由して、管理サーバ２０に登録される。回答情報入力後、利用者端末３０には、矢印Ｄに基づき、管理サーバ２０に登録されてあるリンク設定料が送信される。なお、回答情報は、一利用者端末から送信されることに限らず、他の利用者端末から送信することも可能であり、その場合にも他の利用者端末に対し、リンク設定料が受信される。
【０１６８】
情報提供者端末７０は、登録された回答情報を受信する際に、矢印Ｅに基づき管理サーバ２０に登録された広告情報及び回答情報が同時または相前後して配信される。さらに、予め設定された条件に基づき、情報提供者端末７０に、広告配信者端末１０から管理サーバ２０に登録されたリンク設定料の一部または全部を送信することも可能である。
【０１６９】
したがって、本発明のシステムを利用する情報提供者端末７０は、広告情報を閲覧することで、質問情報に対する回答情報を得ることができる。さらには、予め設定された条件に基づき、リンク設定料の一部または全部を受領することができる。すなわち、情報提供者端末７０は、質問情報に対して、費用をかけずに回答情報を得ることができる。
【０１７０】
なお、本実施形態では、リンク提供サーバ６０に対して情報提供者端末７０を接続し、リンク提供サイトに質問情報を表示させたが、情報提供者端末７０を管理サーバ２０に接続し、管理サーバ２０の提供するウェブサイトに質問情報を表示させ、同様の態様とすることも可能である。また、質問情報に代えて、商品情報などを送信してオークション形式とすることも可能である。この場合は、管理サーバがオークションを管理するサーバ、情報提供者端末７０が商品情報などを提供する端末、利用者端末３０は、実際、商品に対し入札を行う端末とすることができる
【０１７１】
すなわち、本システムを利用する利用者には、広告配信者からのリンク設定料を得ることができ、情報提供者には、無料で質問に対する回答を受領することができ、広告配信者は情報提供者に確実に広告情報を配信することができる。したがって、従来より魅力的な広告情報リンク管理システムとなる。
【０１７２】
さらに、本発明は、上述した実施形態に限定されるものではなく、その要旨を逸脱しな
い範囲内で種々変形して実施することが可能である。例えば、サーバから情報をダウンロードする最中に広告情報を配信したり、メールの送受信の最中に広告情報を配信したり、アンケート情報が表示される間に広告情報を配信したりすることもできる。
【産業上の利用可能性】
【０１７３】
以上のように、本発明による広告情報リンク管理システム及びその方法は、ウェブサイトが切り替わる途中で広告を配信するため、広告主にとって広告効果が高く、広告サービスの活用を活発化するのに有用である。
【図面の簡単な説明】
【０１７４】
【図１】本発明による第１実施形態のシステム構成図である。
【図２】図１の第１実施形態における管理サーバ内の利用者管理処理手段，広告情報登録処理手段とそれぞれのデータベースの構成を示す構成図である。
【図３】図１の第１実施形態における管理サーバ内のリンク誘導情報登録処理手段とそのデータベースの構成を示す構成図である。
【図４】図１の第１実施形態における管理サーバ内のリンク設定管理処理手段とそのデータベースの構成を示す構成図である。
【図５】図１の第１実施形態における管理サーバ内のリンク管理処理手段とそのデータベースの構成を示す構成図である。
【図６】図１の第１実施形態における管理サーバ内の広告主向料金管理処理手段とそのデータベースの構成を示す構成図である。
【図７】図１の第１実施形態における管理サーバ内のリンク提供者向料金管理処理手段とそのデータベースの構成を示す構成図である。
【図８】図１の第１実施形態におけるリンク提供サイトへの再リンク手順を示すフローチャートである。
【図９】第１実施形態におけるシステム動作の概念図である。
【図１０】リンク設定管理処理手段の動作の一部を示す概念図である。
【図１１】従来のシステム動作の概念図である。
【図１２】第２実施形態におけるシステム動作の概念図である。
【符号の説明】
【０１７５】
１０  広告配信者端末、２０  管理サーバ、３０  利用者端末、３１  利用者携帯端末、５０  ネットワーク、６０  リンク提供者サーバ、７０  情報提供者端末、  Ｍ１０  利用者管理処理手段、Ｍ１１  広告情報登録処理手段、Ｍ１２  リンク誘導情報登録処理手段、Ｍ１３  リンク設定管理処理手段、Ｍ１４  リンク管理処理手段、Ｍ１５  広告主向料金管理処理手段、Ｍ１６  リンク提供者向料金管理処理手段、Ｄ１０，Ｄ１１，Ｄ１２，Ｄ１３，Ｄ１４，Ｄ１５，Ｄ１６  データベース。
【図１】
2006330984.tif 000003
【図２】
2006330984.tif 000004
【図３】
2006330984.tif 000005
【図４】
2006330984.tif 000006
【図５】
2006330984.tif 000007
【図６】
2006330984.tif 000008
【図７】
2006330984.tif 000009
【図８】
2006330984.tif 000010
【図９】
2006330984.tif 000011
【図１０】
2006330984.tif 000012
【図１１】
2006330984.tif 000013
【図１２】
2006330984.tif 000014